(57)【特許請求の範囲】
【請求項１】
扉枠の上部及び下部の少なくとも一方の水平枠部に沿って移動可能とされた支持手段によって、垂直回転中心軸線の周りで回動可能に支持され、閉扉状態から、該垂直回転中心軸線の周りで正若しくは逆方向に回動されることにより扉開口を開放する扉の開閉装置であって、
該垂直回転中心軸線から該水平枠部の伸張方向に延びる仮想垂直面を想定し、閉扉時の該扉水平縁部における該仮想垂直面の両側位置に設定された第１及び第２アームであって、それぞれ、一端が該垂直回転中心軸線の位置よりも、閉扉時の扉の一方の扉側部縁寄りの所定の位置で該扉水平縁部に枢着され、閉扉時において該扉水平縁部に沿って延び他端が扉の一方の扉側部縁に隣接する位置とされる第１及び第２アームと、
第１及び第２ヒンジピンを備えるヒンジピン装置であって、該扉が、閉扉状態から該垂直回転中心軸線を中心に正方向に回動されるときに、該仮想垂直面を基準として該回動方向側にある該第２アームが当該扉と一体的に回動されるのを許容すると共に、該仮想垂直面を基準として該回動方向側とは反対側にある該第１アームの他端を第１ヒンジピンにより該水平枠部に枢着して、該第１アームが該第１ヒンジピンを中心に第１方向に回動するようにし、また、該扉が、閉扉状態から該垂直回転中心軸線を中心に逆方向に回動されるときは、該第１アームが当該扉と一体的に回動されるのを許容し、該第２アームの該他端を第２ヒンジピンにより該水平枠部に枢着して、該第２アームが該第２ヒンジピンを中心に第２方向に回動するようにするヒンジピン装置と
を有することを特徴とする扉開閉装置。
【請求項２】
該ヒンジピン装置が、
該仮想垂直面の両側で、該一方の扉側部縁に隣接する位置において該水平枠部に固定された第１及び第２ヒンジピンと、
該扉が、閉扉状態から該垂直回転中心軸線を中心に正方向に回動されるときに、それに伴い該仮想垂直面を基準として該回動方向側にある該第２アームが当該扉と一体的に回動されるのを許容し、該仮想垂直面を基準として該回動方向側とは反対側にある該第１アームの該他端を第１ヒンジピンに係合させて、該第１アームが該第１ヒンジピンを中心に第１方向に回動するようにし、また、該扉が、閉扉状態から該垂直回転中心軸線を中心に逆方向に回動されるときには、該第１アームが当該扉と一体的に回動されるのを許容し、該第２アームの該他端を第２ヒンジピンに係合させて、該第２アームが該第２ヒンジピンを中心に第２方向に回動するようにするアーム係合手段と
を有することを特徴とする請求項１に記載の扉開閉装置。
【請求項３】
該第１及び第２アームにそれぞれ可動に設けられた第１及び第２可動係合部材を有し、
該扉が、閉扉状態から該正方向に回動されるときは、該第１可動係合部材が第１ヒンジピンに係合して該第１アームの該第１ヒンジピンに対する係合を維持し、
該扉が、閉扉状態から該逆方向に回動されるときは、該第２可動係合部材が第２ヒンジピンに係合して該第２アームの該第２ヒンジピンに対する係合を維持するようにした
ことを特徴とする請求項２に記載の扉開閉装置。
【請求項４】
閉扉時の扉における該仮想垂直面のそれぞれ第１及び第２ヒンジピンが設けられている側において該扉水平縁部に取り付けられた第１及び第２係止ピンと、
該第１及び第２アームに取り付けられて、それぞれ、該第１及び第２係止ピンに係止可能とされた第１及び第２可動係止部材と
を有し、
該扉が、閉扉状態から該垂直回転中心軸線の周りで該正方向に回動されるときは、該第２可動係止部材が第２係止ピンに係合して該第２アームが扉と一体的に回動されるようにし、
該扉が、閉扉状態から該逆方向に回動されるときは、該第１可動係止部材が第１係止ピンに係合して該第１回動アームが扉と一体的に回動されるようにした
ことを特徴とする請求項３に記載の扉開閉装置。
【請求項５】
該第１可動係止部材は、該扉が、閉扉状態から該正方向に回動されるときに、該扉と共に動く該第１係止ピンによって該第１係止ピンから外れるように動かされ、該第１可動係合部材は該第１可動係止部材によって変位されて第１ヒンジピンとの係合位置とされ、
該第２可動係止部材は、該扉が、閉扉状態から該逆方向に回動されるときに、該扉と共に動く該第２係止ピンによって該第２係止ピンから外れるように動かされ、該第２可動係合部材は該第２可動係止部材によって変位されて第２ヒンジピンとの係合位置とされるようにした
ことを特徴とする請求項４に記載の扉開閉装置。
【請求項６】
第１可動係止部材は、第１アームに枢着されて、第１係止ピンをその直径方向で対向する側面に係合するように延びる対をなす第１駆動爪と第１係止爪を有し、該扉が、閉扉状態にあるときは、該第１駆動爪及び第１係止爪が第１係止ピンを直径方向両側から挟む係止ピン保持位置とされ、該扉が閉扉状態から該正方向に回動されて開扉されるときは、該第１駆動爪が該扉と共に動く該第１係止ピンによって押されて当該第１可動係止部材を枢動して当該第１可動係止部材が係止ピン開放位置とされて、該第１係止ピンが第１駆動爪及び第１係止爪の間から外れるようにし、該扉が閉扉状態に戻されるときは、該係止ピン開放位置にある第１可動係止部材の第１駆動爪及び第１係止爪の間に第１係止ピンが進入して該第１係止爪を押して該第１可動係止部材を枢動して該係止ピン保持位置とし、該扉が、閉扉状態から該逆方向に回動されるときは、該第１可動係止部材の枢動が阻止され、第１駆動爪及び第１係止爪の間に第１係止ピンが保持されるようにし、
第２可動係止部材は、第２アームに枢着されて、第２係止ピンをその直径方向で対向する側面に係合するように延びる第２駆動爪と第２係止爪を有し、該扉が、閉扉状態にあるときは、該第２駆動爪及び第２係止爪が第２係止ピンを直径方向両側から挟む係止ピン保持位置とされ、該扉が閉扉状態から該逆方向に回動されるときは、該第２駆動爪が該扉と共に動く該第２係止ピンによって押されて当該第２可動係止部材を枢動して当該第２可動係止部材が係止ピン開放位置とされて、該第２係止ピンが第２駆動爪及び第２係止爪の間から外れるようにし、該扉が閉扉状態に戻されるときは、該係止ピン開放位置にある第２可動係止部材の第２駆動爪及び第２係止爪の間に第２係止ピンが進入して該第２係止爪を押して該第２可動係止部材を枢動して該係止ピン保持位置とし、該扉が、閉扉状態から正方向に回動されるときは、該第２可動係止部材の枢動が阻止され、該第２駆動爪及び第２係止爪の間に第２係止ピンが保持されるようにした
ことを特徴とする請求項５に記載の扉開閉装置。
【請求項７】
該第１ヒンジピンが該第１アームの該他端に取り付けられ、
該第２ヒンジピンが該第２アームの該他端に取り付けられ、
該水平枠部には、該扉が閉扉状態から該正方向に回動されるときに、該第１ヒンジが係止される第１ピン係止部と、該扉が閉扉状態から該逆方向に回動されるときに、該第２ヒンジが係止される第２ピン係止部と、
を備えることを特徴とする請求項１に記載の扉開閉装置。
【請求項８】
該扉及び該扉枠、該扉及び扉枠に前記の通り取り付けられた請求項１乃至７のいずれかに記載の扉開閉装置を備えた扉装置。
【発明の詳細な説明】
【技術分野】
【０００１】
本発明は扉に関し、特に、スライドスイング式扉などと呼ばれ、扉枠の上部や下部の水平枠部に沿って移動可能とされた支持手段によって、垂直回転中心軸線の周りで回動可能に支持され、閉扉状態から、扉を該垂直回転中心軸線の周りで正方向若しくは逆方向に回動させながら、一方の側部枠に寄せることにより扉開口を開放するようにした開閉装置、及び、扉装置に関する。
【背景技術】
【０００２】
この種の扉は、基端が、上述の開扉時に扉が寄せられる側の側部枠に隣接して枢着され、先端が、上部及び下部の扉水平縁部の上述の垂直回転中心軸線よりも側部枠寄りの位置で枢着された一対の回動アームを備える。扉が垂直回転中心軸線を中心に正方向若しくは逆方向に回動されると、該回動アームもその基端を中心に回動され、それにより、当該扉は閉扉状態のときよりも約９０°回動しながら側部枠に移動させられて、当該扉開口を開くようになっている。（特許文献１）  
【０００３】
【特許文献１】特開２００２−２９５１１８号
【発明の開示】
【発明が解決しようとする課題】
【０００４】
上記扉は、閉扉時に扉側縁部が側部枠になるべく隙間なく接近した状態となるように取り付けられるが、前述の如く、扉は垂直回転中心軸線の周りで回動されるために、側部枠に隣接した扉側縁部の端面は、当該扉が回動されるに従い、側部枠に対して傾斜し、そのため、該端面の一側が側部枠に近づく。更に、扉は、上述のように、該扉が回動されることに伴って回動される回動アームの作用によって、該側部枠に近づくようにされる。このため、開扉動作の時の初めの段階で、該端面が側部枠に近づく度合いが高く、それによる接触を回避するためには、閉扉時の扉側部縁を側部枠からある程度の隙間をおいて設定するようにしなければならず、また、側部枠に隣接する壁も扉との接触を回避するような位置にしなければならなかった。
【０００５】
本発明は、以上のような点に鑑み、扉の側部端面が側部枠側にあまり近づかないようにして扉を開扉することができる扉開閉装置及びそのような装置を備えた扉装置を提供することを目的としている。
【課題を解決するための手段】
【０００６】
すなわち、本発明は
扉枠の上部及び下部の少なくとも一方の水平枠部に沿って移動可能とされた支持手段によって、垂直回転中心軸線の周りで回動可能に支持され、閉扉状態から、該垂直回転中心軸線の周りで正若しくは逆方向に回動されることにより扉開口を開放する扉の開閉装置であって、
該垂直回転中心軸線から該水平枠部の伸張方向に延びる仮想垂直面を想定し、閉扉時の該扉水平縁部における該仮想垂直面の両側位置に設定された第１及び第２アームであって、それぞれ、一端が該垂直回転中心軸線の位置よりも、閉扉時の扉の一方の扉側部縁寄りの所定の位置で該扉水平縁部に枢着され、閉扉時において該扉水平縁部に沿って延び他端が扉の一方の扉側部縁に隣接する位置とされる第１及び第２アームと、
第１及び第２ヒンジピンを備えるヒンジピン装置であって、該扉が、閉扉状態から該垂直回転中心軸線を中心に正方向に回動されるときに、該仮想垂直面を基準として該回動方向側にある該第２アームが当該扉と一体的に回動されるのを許容すると共に、該仮想垂直面を基準として該回動方向側とは反対側にある該第１アームの他端を第１ヒンジピンにより該水平枠部に枢着して、該第１アームが該第１ヒンジピンを中心に第１方向に回動するようにし、また、該扉が、閉扉状態から該垂直回転中心軸線を中心に逆方向に回動されるときは、該第１アームが当該扉と一体的に回動されるのを許容し、該第２アームの該他端を第２ヒンジピンにより該水平枠部に枢着して、該第２アームが該第２ヒンジピンを中心に第２方向に回動するようにするヒンジピン装置と
を有することを特徴とする扉開閉装置を提供する。
【０００７】
この扉開閉装置によれば、第１回動アームがその基端を第１ヒンジピンに係合されて該第１ヒンジピンを中心にして第１方向に回動されるときは、回動が開始される時点での（すなわち、閉扉時の）該垂直回転中心軸線は第１回動アームよりは第１方向側に位置しているので、該垂直回転中心軸線が該第１回動アームの延長線上にある場合に比べて、該垂直回転中心軸線を中心とする上記正方向への扉の回動に伴って側部枠に対して相対的に傾斜される扉側部縁端面の側部枠への接近量は小さくなる。また、第２回動アームが第２ヒンジピンを中心に第２方向に回動し、扉が逆方向に回動するときも、扉側部縁の側部枠への接近量は小さくなる。
従って、閉扉時の扉側部縁を側部枠により近接した状態で設定することが可能となる。
【０００８】
１つの実施形態としては、
該ヒンジピン装置が、
該仮想垂直面の両側で、該一方の扉側部縁に隣接する位置において該水平枠部に固定された第１及び第２ヒンジピンと、
該扉が、閉扉状態から該垂直回転中心軸線を中心に正方向に回動されるときに、それに伴い該仮想垂直面を基準として該回動方向側にある該第２アームが当該扉と一体的に回動されるのを許容し、該仮想垂直面を基準として該回動方向側とは反対側にある該第１アームの該他端を第１ヒンジピンに係合させて、該第１アームが該第１ヒンジピンを中心に第１方向に回動するようにし、また、該扉が、閉扉状態から該垂直回転中心軸線を中心に逆方向に回動されるときには、該第１アームが当該扉と一体的に回動されるのを許容し、該第２アームの該他端を第２ヒンジピンに係合させて、該第２アームが該第２ヒンジピンを中心に第２方向に回動するようにするアーム係合手段と
を有するようにすることができる。
【０００９】
具体的には、当該扉開閉装置が、
該第１及び第２アームにそれぞれ可動に設けられた第１及び第２可動係合部材を有し、
該扉が、閉扉状態から該正方向に回動されるときは、該第１可動係合部材が第１ヒンジピンに係合して該第１アームの該第１ヒンジピンに対する係合を維持し、
該扉が、閉扉状態から該逆方向に回動されるときは、該第２可動係合部材が第２ヒンジピンに係合して該第２アームの該第２ヒンジピンに対する係合を維持するようにすることができる。
【００１０】
また、該扉開閉装置は、
閉扉時の扉における該仮想垂直面のそれぞれ第１及び第２ヒンジピンが設けられている側において該扉水平縁部に取り付けられた第１及び第２係止ピンと、
該第１及び第２アームに取り付けられて、それぞれ、該第１及び第２係止ピンに係止可能とされた第１及び第２可動係止部材と
を有し、
該扉が、閉扉状態から該垂直回転中心軸線の周りで該正方向に回動されるときは、該第２可動係止部材が第２係止ピンに係合して該第２アームが扉と一体的に回動されるようにし、
該扉が、閉扉状態から該逆方向に回動されるときは、該第１可動係止部材が第１係止ピンに係合して該第１回動アームが扉と一体的に回動されるようにすることができる。
【００１１】
更に、
第１可動係止部材は、第１アームに枢着されて、第１係止ピンをその直径方向で対向する側面に係合するように延びる対をなす第１駆動爪と第１係止爪を有し、該扉が、閉扉状態にあるときは、該第１駆動爪及び第１係止爪が第１係止ピンを直径方向両側から挟む係止ピン保持位置とされ、該扉が閉扉状態から該正方向に回動されて開扉されるときは、該第１駆動爪が該扉と共に動く該第１係止ピンによって押されて当該第１可動係止部材を枢動して当該第１可動係止部材が係止ピン開放位置とされて、該第１係止ピンが第１駆動爪及び第１係止爪の間から外れるようにし、該扉が閉扉状態に戻されるときは、該係止ピン開放位置にある第１可動係止部材の第１駆動爪及び第１係止爪の間に第１係止ピンが進入して該第１係止爪を押して該第１可動係止部材を枢動して該係止ピン保持位置とし、該扉が、閉扉状態から該逆方向に回動されるときは、該第１可動係止部材の枢動が阻止され、第１駆動爪及び第１係止爪の間に第１係止ピンが保持されるようにし、
第２可動係止部材は、第２アームに枢着されて、第２係止ピンをその直径方向で対向する側面に係合するように延びる第２駆動爪と第２係止爪を有し、該扉が、閉扉状態にあるときは、該第２駆動爪及び第２係止爪が第２係止ピンを直径方向両側から挟む係止ピン保持位置とされ、該扉が閉扉状態から該逆方向に回動されるときは、該第２駆動爪が該扉と共に動く該第２係止ピンによって押されて当該第２可動係止部材を枢動して当該第２可動係止部材が係止ピン開放位置とされて、該第２係止ピンが第２駆動爪及び第２係止爪の間から外れるようにし、該扉が閉扉状態に戻されるときは、該係止ピン開放位置にある第２可動係止部材の第２駆動爪及び第２係止爪の間に第２係止ピンが進入して該第２係止爪を押して該第２可動係止部材を枢動して該係止ピン保持位置とし、該扉が、閉扉状態から正方向に回動されるときは、該第２可動係止部材の枢動が阻止され、該第２駆動爪及び第２係止爪の間に第２係止ピンが保持されるようにすることができる。
【００１２】
別の実施形態としては、
該第１ヒンジピンが該第１アームの該他端に取り付けられ、
該第２ヒンジピンが該第２アームの該他端に取り付けられ、
該水平枠部には、該扉が閉扉状態から該正方向に回動されるときに、該第１ヒンジが係止される第１ピン係止部と、該扉が閉扉状態から該逆方向に回動されるときに、該第２ヒンジが係止される第２ピン係止部と、
を備えるようにすることもできる。
【００１３】
また、本発明は、
該扉及び該扉枠、該扉及び扉枠に前記の通り取り付けられた扉開閉装置を備えた扉装置を提供する。
【発明の効果】
【００１４】
本発明によれば、閉扉時から扉の回動開放動作を始めた場合に、従来のものに比べて、その扉側部縁がそれに隣接している側部枠や壁に接近しないようにすることが出来、従って、扉を扉枠内に設定するときに、閉扉時における扉側縁部と側部枠との間の隙間を小さくすることができる。
【発明を実施するための最良の形態】
【００１５】
以下、本発明に係る扉装置の実施形態を添付図面に基づき説明する。
【００１６】
図１は、本発明に係る閉扉状態の扉装置１０の正面図であり、該扉装置１０は、上部及び下部の水平枠部１２，１４、及び、側部枠１６，１８を備える扉枠と、該扉枠内に設定された扉２０と、該扉２０の上部及び下部の扉水平縁部２４，２６及びそれに対応する水平枠部１２，１４の間に設定された開閉装置２８，３０（図１に示す開閉装置は概略図であり、詳細は図２乃至図９に示す）とを備えている。
【００１７】
扉２０は、上部の水平枠部１２に設けられたレール３１に沿って移動可能とされた支持手段３４によって吊下げられており、該支持手段３４の中央部分を通る垂直回転中心軸線３６の周りで回動可能にされている。下部の水平枠部には、レール３１に対応するレール溝（図示せず）が設けられ、扉水平縁部２６に垂直回転中心軸線３６に沿って設けられたガイドピン３４´が該レール溝に沿って案内されるようになっており、支持手段３４と共に、扉２２が垂直回転軸線３６の周りで回動可能なるようにすると共に、上部及び下部の水平枠部１２，１４に沿って移動可能なるようにしている。
【００１８】
開閉装置２８，３０は構成が同じであるので、下部の扉開閉装置３０につき説明する。
【００１９】
図２及び図３は、扉開閉装置３０の主要な構成エレメントと、その動作の概要を示している。
【００２０】
すなわち、該扉開閉装置３０は、先ず、（図示の例では、扉２０の厚さ方向の中心を通るようにされた）垂直回転中心軸線３６から水平枠部２６の伸張方向に延びる仮想垂直面３２の両側で、閉扉時の扉２０の一方の扉側部縁（図１における右側の扉側部縁）３５に隣接する位置において水平枠部１４に固定された第１及び第２ヒンジピン３８，４０を有する。
【００２１】
これに対し、扉２０には、図２に示すように、閉扉時の扉水平縁部１４における仮想垂直面３２の両側位置に第１及び第２アーム４２，４４が設けられている。第１及び第２アーム４２，４４は、それぞれ、図で見て左端４６，４８が垂直回転中心軸線３６の位置よりも扉側部縁３５寄りの位置で扉水平縁部２６にピボットピン５０，５２により枢着され、右端５４，５６がそれぞれ第１及び第２ヒンジピン３８，４０に係合可能とされている。図示の例では、第１及び第２アーム４２，４４の右端５４，５６には、図２で見て、それぞれ対向するように配置され、ヒンジピン３８，４０を受け入れて係合するヒンジピン係合溝７０、７１を備えた第１及び第２ブロック５５，５７が固定されている。
【００２２】
第１及び第２アーム４２，４４には、また、第１及び第２アーム４２，４４の右端を第１及び第２ヒンジピン３８，４０に係合した状態に選択的に保持する第１及び第２係合手段が設けられている。この係合手段の構造の詳細は後述するが、以下の通りの機能を有するものである。
【００２３】
すなわち、該アーム係合手段は、該扉２０が、図２に示す如き閉扉時の状態（図２）から垂直回転中心軸線３６を中心に正方向（図３に示す反時計方向）Ａに回動されるときには、該仮想垂直面３２を基準として該回動方向Ａ側にある第２アーム４４が当該扉２０と一体的に回動されるのを許容するとともに、仮想垂直面３２を基準として該回動方向とは反対方向Ｂ側にある該第１アーム４２の右端５４を第１ヒンジピン３８に係合させて、（図３に示すように）第１アーム４２が第１ヒンジピン３８を中心に第１方向（時計方向）Ｃに回動するようにし、また、扉２０が、閉扉時の状態（図２）から該垂直回転中心軸線３６を中心に逆方向（時計方向）に回動されるときは、第１アーム４２が当該扉２０と一体的に回動されるのを許容し、第２アーム４４の右端５６を第２ヒンジピン４０に係合させて、第２アーム４４が第２ヒンジピン４０を中心に第２方向（反時計方向）に回動するようにする。
【００２４】
該アーム係合手段を、具体的に述べるならば、該アーム係合手段は、まず、第１及び第２アーム４２，４４の右端５４，５６に固定された第１及び第２ブロック５５，５７に形成された孔に摺動可能に設けられた第１及び第２可動係合部材６０，６２を有する。詳細は後述するが、これら第１及び第２可動係合部材は、扉２０が、閉扉時から正方向Ａに回動されるときは、図３に示すように、第１可動係合部材６０が第１ブロック５５のヒンジピン係合溝７０内にある第１ヒンジピン３８に係合して、第１ヒンジピン３８を該第１ヒンジピン係合溝７０内に保持し、また、扉２０が、閉扉時の状態から逆方向Ｂに回動されるときは、第２可動係合部材６２が第２ブロック５７のヒンジピン係合溝７１内にある第２ヒンジピン４０に係合して、第２ヒンジピン４０を該第２ヒンジピン係合溝７１内に保持するようになっている。
【００２５】
図４乃至図８は、該アーム係合手段の構成をより明瞭に示してあるが、第１アーム４２に関連する部分のみを主に示し、第２アームに関連する部分は、第１アームのものと同じであるので省略して示している。
【００２６】
これらの図から分かるように、該アーム係合手段は、更に、閉扉時の扉における仮想垂直面３２のそれぞれ第１及び第２ヒンジピン５０，５２が設けられている側において扉水平縁部２６に取り付けられた第１及び第２係止ピン６４，６６と、第１及び第２アーム４２，４４に取り付けられて、それぞれ、該第１及び第２アーム４２，４４に形成されている凹部４２´，４４´内に受け入れられた第１係止ピン６４及び第２係止ピン６６と係合して、該第１及び第２係止ピン６４，６６が該凹部から外れるのを阻止する第１可動係止部材６８及び第２可動係止部材を有する。
【００２７】
第１可動係止部材６８は、第１回動アーム４２に枢軸７４により枢着されて、第１係止ピン６４をその直径方向で対向する側面に係合するように延びる対をなす第１駆動爪７６と第１係止爪７８を有し、扉が、閉扉状態にあるときは、第１駆動爪７６及び第１係止爪７８が第１係止ピン６４を直径方向両側から挟む係止ピン保持位置（図４）とされ、扉２０が閉扉状態から正方向Ａ（図３）に回動されて開扉されるときは、第１駆動爪７６が扉２０と共に動く第１係止ピン６４によって押されて当該第１可動係止部材６８を枢軸７４の周りで枢動して、最終的には、第１可動係止部材６８が係止ピン開放位置（図８）とされて、第１係止ピン６４が第１駆動爪７６及び第１係止爪７８の間から外れるようになっている。
【００２８】
逆に、該扉が閉扉状態に戻されるときは、係止ピン開放位置（図８）にある第１可動係止部材６８の第１駆動爪７６及び第１係止爪７８の間に第１係止ピン６４が進入して第１係止爪７８を押して第１可動係止部材６８を枢軸７４の周りで枢動して係止ピン保持位置（図４）とする。
【００２９】
扉２０が、閉扉状態から逆方向Ｂ（図３）に回動されるときは、該扉と一体的に回動される第１係止ピン６４は第１係止爪７８を枢軸７４の周りで枢動させるよう作用するが、このときの第１可動係止部材６８は、第１アームに係止されて該枢軸７４の周りでの枢動が阻止され、このため、第１可動係止部材６８は第１係止爪を第１駆動爪７６及び第１係止爪７８の間に保持したままの状態で、第１回動アーム４２を扉と共に一体的に回動させる。
【００３０】
図４乃至図８には示さない第２回動アームに設けられる第２可動係止部材は、第１可動係止部材６８の上述の作用を第２係止ピン６６に対して行い、第１可動係止部材６８と同じ機能を奏する。
【００３１】
図４の要部を拡大して示す図９から分るように、第１可動係合部材６０と第１可動係止部材６８とは、連結リンク８０によって連接されており、第１可動係止部材６８が係止ピン保持位置（図４）と係止ピン開放位置（図８）との間で変位されるとき、第１可動係合部材６０が、第１ヒンジピン３８を第１アームのヒンジピン係合溝７０から開放する位置と、第１ヒンジピン３８をヒンジピン係合溝７０内に保持する位置との間で変位するようにされている。すなわち、連結リンク８０は、連接ピン８２により第１可動係合部材６０に回転連接され、連接ピン８６により第１可動係止部材６８に回転連接されている。連接ピン８２は、９０で示す第１アームの位置に一端が固定された引張りコイルバネ９２が接続されており、該一端９０に向けて引っ張られ、第１可動係止部材６８は枢軸７４の周りで反時計方向に付勢され、これにより第１可動係合部材６０と第１可動係止部材６８とは図４及び図９に示す係止ピン保持位置とされる。前述のように扉が垂直回転中心軸線３６を中心に反時計方向（図３）に回動され、該扉と共に回動される第１係止ピン６４によって第１可動係止部材６８が枢軸７４の周りで時計方向に回動されると、第１可動係合部材６０は右側に押されて、その先端が、ヒンジピン係合溝７０内のヒンジピン３８に係合するとともに、第１可動係止部材６８は係止ピン開放位置（図８）となる。この状態では、連接ピン８６はコイルバネの一端９０と枢軸７４の中心を結ぶ線を越え、当該第１可動係止ピン６８に時計方向の付勢力をかけた状態となり、該第１可動係止部材は、係止ピン開放位置に保持される。
【００３２】
前述の通り、第２回動アーム及びそれに対する開閉装置の構造及び作用は、上述した第１回動アームのものと同じである。
【００３３】
尚、図示の例では、上述した第１及び第２回動アーム４２，４４を含む開閉装置は、プレート９６上に設定されており、該プレート９６を扉水平縁部２４，２６に固定することにより、当該開閉装置の扉への取り付けを行うようにしている。
【００３４】
以上、本発明に係る扉開閉装置の実施形態につき説明したが、本発明はこれに限定されるものではない。例えば、第１及び第２ヒンジピンは、図示の例では、水平枠部に設けられているが、これら第１及び第２ヒンジピンを、扉が閉止状態のときの第１及び第２アームの側部枠部に隣接する端部に設けると共に、この閉止状態のときの第１及び第２アームに設けられた第１及び第２ヒンジピンに対応する第１及び第２ピン係止部を水平枠部に設け、扉が閉止状態から正方向に回転されるときには、第１ヒンジピンが第１係止部に係止されるようにして、第１アームが該第１係止部に係止された第１ヒンジピンを中心に回動し、また、扉が逆方向に回動されるときには、第２ヒンジピンが第２係止部に係止されるようにして、第２アームが該第２係止部に係止された第２ヒンジピンを中心に回動するようにすることができる。この場合、ヒンジピンをピン係止部に係止させるように駆動する手段としては、前述の実施形態において扉の閉扉状態からの回動に伴って動かされるようにされた可動係止部材６８とヒンジピンとを連接するカム機構とし、該可動係止部材の動きに伴って該カム機構がヒンジピンをピン係止部に係止させるよう変位させるようにすることができる。
【図面の簡単な説明】
【００３５】
【図１】閉扉状態にある本発明に係る扉装置の概要図である。
【図２】図１のII―II線図であり、扉装置における下部水平枠部と扉水平縁部とのあいだに設定される扉開閉装置を示す。
【図３】図２の状態から、扉が回動し始められた状態における扉開閉装置の状態を示す図である。
【図４】閉扉状態にあるときの同扉開閉装置を示すものであり、第２回動アーム及びそれに関連するエレメントは省略して示してある。
【図５】扉が図４の閉扉状態から僅かに開かれ始められた状態の扉開閉装置を示す。
【図６】扉が更に開かれた状態の扉開閉装置を示す。
【図７】扉が更に開かれた状態の扉開閉装置を示す。
【図８】扉が更に開かれた状態の扉開閉装置を示す。
【図９】図４の要部を拡大して示す図である。
【符号の説明】
【００３６】
扉装置                      １０
上部水平枠部                １２
下部水平枠部                １４
側部枠                      １６，１８
扉                          ２０
扉水平縁部                  ２４，２６
開閉装置                    ２８，３０
レール                      ３１
仮想垂直面                  ３２
支持手段                    ３４
支持手段                    ３４´
扉側部縁                    ３５
垂直回転中心軸線            ３６
第１ヒンジピン              ３８
第２ヒンジピン              ４０
第１アーム                  ４２
第２アーム                  ４４
第１アームの左端            ４６
第２アームの左端            ４８
ピボットピン                ５０，５２
第１アームの右端            ５４
第２アームの右端            ５６
第１及び第２ブロック        ５５，５７
第１可動係合部材            ６０
第２可動係合部材            ６２
第１係止ピン                ６４
第２係止ピン                ６６
第１可動係止部材            ６８
第１ヒンジピン係合溝        ７０
第２ヒンジピン係合溝        ７１
枢軸                        ７４
第１駆動爪                  ７６
第１係止爪                  ７８
連結リンク                  ８０
連接ピン                    ８２
連接ピン                    ８６
引張りコイルバネの一端      ９０
コイルバネ                  ９２
プレート                    ９６
正方向                      Ａ
逆方向                      Ｂ
力                          Ｆ
【図１】
0004659572.tif 000002
【図２】
0004659572.tif 000003
【図３】
0004659572.tif 000004
【図４】
0004659572.tif 000005
【図５】
0004659572.tif 000006
【図６】
0004659572.tif 000007
【図７】
0004659572.tif 000008
【図８】
0004659572.tif 000009
【図９】
0004659572.tif 000010